(57)【要約】      （修正有）【課題】内部空間を広げ、居住快適性を高めるモバイルホームを提供する。【解決手段】ベースフレーム１と、ベースフレーム１の四隅に分離配置された４つの直立案内柱２と、これらの直立案内柱２上に架設されたルーフ４と、ベースフレーム１にそれぞれ摺設された２つの側部フレーム３と、伸縮ユニット８とを含んでおり、該伸縮ユニット８は４つの第１伸縮部品８１および４つの第２伸縮部品を有し、これらの第１伸縮部品８１はこれらの直立案内柱２とルーフ４との間に連設され、これらの第１伸縮部品８１が同時に伸びるとき、ルーフ４を突いて上方移動させることができ、これらの第２伸縮部品は、ベースフレーム１と、対応する側部フレーム３とに２つずつ配置され、これらの側部フレーム３を突き押してベースフレーム１の側面に対して逆向きに移動させることができ、これらの第１伸縮部品８１と第２伸縮部品とが同時に伸び、それぞれルーフ４を突き動かして上方移動させ、そしてこれらの側部フレーム３を外向きに展開させる。【選択図】図１
0003205741.tif 000002
【実用新案登録請求の範囲】
【請求項１】
ベースフレームと、ベースフレームの四隅に分離配置された４つの直立案内柱と、これらの直立案内柱上に架設されたルーフと、ベースフレームにそれぞれ摺設された２つの側部フレームと、伸縮ユニットとを含んでおり、該伸縮ユニットは４つの第１伸縮部品および４つの第２伸縮部品を有し、これらの第１伸縮部品はこれらの直立案内柱とルーフとの間に連設され、これらの第１伸縮部品が同時に伸びるとき、ルーフを突いて上方移動させることができ、これらの第２伸縮部品は、ベースフレームと、対応する側部フレームとに２つずつ配置され、これらの側部フレームを突き押してベースフレームの側面に対して逆向きに移動させることができるモバイルホーム。
【請求項２】
該ルーフは、上カバー部と、該上カバー部の四隅から下向きに延びる案内部とを有し、これらの案内部は、対応する直立案内柱に摺設される請求項１に記載のモバイルホーム。
【請求項３】
該ベースフレームに、前後平行に設けられた前横棒と後横棒と、平行に間隔を置いて前横棒と後横棒を連結する中間棒と２つの側部棒と、２つの側部棒と中間棒上に架設された数個のプーリと、が形成されており、これらの側部フレームは、２つの平行な摺動棒と、これらの摺動棒を連結する連結棒とを各々有し、これらの側部フレームの摺動棒は、中間棒上に相対的に逆向きに貫設され、かつ、これらのプーリに対向して組み付けられ、相対的に逆向きに移動可能である請求項２に記載のモバイルホーム。
【請求項４】
該ベースフレームに４つの底部支持棒がさらに形成されており、２つずつの底部支持棒が前横棒と後横棒にそれぞれ設けられ、駆動されてそれぞれ逆向きに前横棒と後横棒に対して伸縮可能であり、該伸縮ユニットは４つの第３伸縮部品をさらに有し、個々の第３伸縮部品は、対応する底部支持棒上に伸縮可能に立設され、同時に伸びて地面に当接することができる、請求項３に記載のモバイルホーム。
【請求項５】
該モバイルホームは２つの側壁ユニットをさらに含んでおり、個々の側壁ユニットは、側部フレーム、直立案内柱とルーフとの間に連設され、側部フレーム上に立設された側板と、側部フレームに連結された２つの引き板と、ルーフに枢設されかつ側板と引き板の上方に覆設された枢動側部カバーとを含んでおり、側部フレームが外向きに伸展するとき、これらの引き板はこれに従って摺動移動しかつ該枢動側部カバーが側板に突き押されて連動し、これに従って外向きに枢動する請求項４に記載のモバイルホーム。
【請求項６】
該モバイルホームはさらに後壁ユニットを含んでおり、ベースフレーム、２つの直立案内柱とルーフの間に組み付けられ、２つの開放可能な下扉板と、それぞれ枢動可能にこれらの下扉板の上方に重ねて連結される２つの上扉板とを有し、ルーフが上向きに移動するとき、これらの上扉板は下扉板とルーフの間に封止被覆され得る請求項５に記載のモバイルホーム。
【請求項７】
該モバイルホームはさらに底板ユニットを含んでおり、該ベースフレームに架設された２つの固定板と、側部フレームの連結棒上にそれぞれ固設された２つの連結板と、２つの折り畳み組板とを有し、個々の折り畳み組板の両側に固定板と連結板をそれぞれ枢結して直立状態になり、側部フレームが外向きに展開するとき、これらの折り畳み組板が連動されて固定板と連結板の間に敷かれ得る請求項６に記載のモバイルホーム。
【考案の詳細な説明】
【技術分野】
【０００１】
本考案はモバイルホームに関し、特に、上向きおよび両側に使用空間を増大させることができるモバイルホームに関する。
【背景技術】
【０００２】
時代の進歩につれて人々の生活の質も向上しているため、レジャー活動の質と内容も日増しに重視されるようになっており、外出旅行は一般的な活動であり、外出旅行ではスケジュールに追われるのでなく真のレジャーを実現することが望まれ、旅行の過程で野営することができるように手配できれば最善であるので、随時移動可能なキャビンやトレーラーハウスを売り出す業者もあり、さまざまなレジャーの楽しさを体験するために使用者が随時野営できるようにしている。中華民国特許番号Ｍ４９６５９０「伸縮可能なキャビン機構」をご参照いただくと、使用したいときに、キャビンを横向きに展開することでキャビンの使用空間を増加させることができ、このようにすれば、使用空間を増加させる効果を達成することができるが、キャビンの高さを高くすることはできないため、キャビンの高さにおいては圧迫感を与えることになる。このため、「伸縮可能なキャビン機構」を常用しても、高さを高くすることができず快適性が劣る欠点が依然として存在する。
【考案の概要】
【考案が解決しようとする課題】
【０００３】
従って、本考案の目的は、優れた快適性を有するモバイルホームを提供することにある。
【課題を解決するための手段】
【０００４】
そこで、本考案のモバイルホームは、ベースフレームと、ベースフレームの四隅に分離配置された４つの直立案内柱と、これらの直立案内柱上に架設されたルーフと、ベースフレームにそれぞれ摺設された２つの側部フレームと、伸縮ユニットとを含んでおり、該伸縮ユニットは４つの第１伸縮部品および４つの第２伸縮部品を有し、これらの第１伸縮部品はこれらの直立案内柱とルーフとの間に連設され、これらの第１伸縮部品が同時に伸びるとき、ルーフを突いて上方移動させることができ、これらの第２伸縮部品は、ベースフレームと、対応する側部フレームとに２つずつ配置され、これらの側部フレームを突き押してベースフレームの側面に対して逆向きに移動させることができ；これらの第１伸縮部品と第２伸縮部品とが同時に伸び、それぞれルーフを突き動かして上方移動させそしてこれらの側部フレームを外向きに展開させれば、モバイルホームの内部空間を広げることにより、モバイルホームの居住快適性を高める効果を達成することができる。
【図面の簡単な説明】
【０００５】
【図１】図１は、本考案の１つの好ましい実施例のモバイルホームの未展開の立体概略図である。
【図２】図２は、本考案の１つの好ましい実施例のモバイルホームのベースフレームの平面概略図である。
【図３】図３は、本考案の１つの好ましい実施例のベースフレームに底板ユニットを組み付けた平面概略図である。
【図４】図４は、本考案の１つの好ましい実施例のモバイルホームのルーフが上昇した背面概略図である。
【図５】図５は、本考案の１つの好ましい実施例のモバイルホームが展開した立体概略図である。
【図６】図６は、本考案の１つの好ましい実施例のモバイルホームの側部フレームが展開した平面概略図である。
【図７】図７は、本考案の１つの好ましい実施例のモバイルホームが完全に展開していない背面概略図である。
【図８】図８は、本考案の１つの好ましい実施例のモバイルホームが完全に展開した背面概略図である。
【図９】図９は、本考案の１つの好ましい実施例のモバイルホームの底板ユニットが展開した平面概略図である。
【考案を実施するための形態】
【０００６】
図１、２、３、４および５をご参照いただくと、本考案の１つの好ましい実施例のモバイルホームは、機動的な移動に供することができ、移動する方式で最も一般的なのは、貨車などの積載具を利用し、それを適切な場所まで積載搬送して設置し、レジャーまたは短期居住の場所にすることであり、ベースフレーム１と、４つの直立案内柱２と、２つの側部フレーム３と、ルーフ４と、底板ユニット５と、２つの側壁ユニット６と、後壁ユニット７と、伸縮ユニット８とを含んでいる。
【０００７】
該ベースフレーム１に、前後平行に設けられた前横棒１１と後横棒１２と、平行に間隔を置いて前横棒１１と後横棒１２に連結された中間棒１３と２つの側部棒１４と、前横棒１１、後横棒１２、および中間棒１３上に架設された数個のプーリ１５と、４つの底部支持棒１６と、が形成されており、２つずつの底部支持棒１６が前横棒１１と後横棒１２にそれぞれ設けられ、駆動されてそれぞれ逆向きに前横棒１１と後横棒１２に対して伸縮可能である。
【０００８】
これらの直立案内柱２はそれぞれ、ベースフレーム１の前横棒１１と後横棒１２の両端から上向きに延び、ベースフレーム１の四隅に立設される。
【０００９】
これらの側部フレーム３はそれぞれ「コ」の字型の設計であり、各々の側部フレーム３が、２つの平行な摺動棒３１と、これらの摺動棒３１を連結する連結棒３２とを有し、これらの側部フレーム３の摺動棒３１は、該ベースフレーム１の中間棒１３上に逆向きに貫設され、かつ、これらのプーリ１５に対向して組み付けられ、相対的に逆向きに移動可能である。
【００１０】
該ルーフ４は、上カバー部４１と、該上カバー部４１の四隅から下向きに延びる案内部４２とを有し、これらの案内部４２は、対応する直立案内柱２に摺設される。
【００１１】
該底板ユニット５は、該ベースフレーム１に架設された２つの固定板５１と、側部フレーム３の連結棒３２上にそれぞれ固設された２つの連結板５２と、２つの折り畳み組板５３とを有し、個々の折り畳み組板５３の両側に固定板５１と連結板５２をそれぞれ枢結して直立状態になり、側部フレーム３が外向きに展開するとき、これらの折り畳み組板５３は連動されて固定板５１と連結板５２の間に敷かれ得る。
【００１２】
これらの側壁ユニット６は、側部フレーム３、直立案内柱２とルーフ４との間に連設され、個々の側壁ユニット６は、側部フレーム３の連結棒３２上に立設された側板６１と、側部フレーム３の連結棒３２に連結された２つの引き板６２と、ルーフ４の上カバー部４１に枢設されかつ側板６１と引き板６２の上方に覆設された枢動側部カバー６３とを含んでおり、側部フレーム３が外向きに伸展するとき、これらの引き板６２は、側部フレーム３の連結棒３２に引き動かされこれに従って外きに摺動移動しかつ該枢動側部カバー６３が側板６１に突き押されて連動し、やはりこれに従って外向きに枢動する。
【００１３】
該後壁ユニット７は、ベースフレーム１の後横棒１２、２つの直立案内柱２とルーフ４の間に組み付けられ、２つの開放可能な下扉板７１と、それぞれ枢動可能にこれらの下扉板７１の上方に重ねて連結される２つの上扉板７２とを有し、ルーフ４が上向きに移動するとき、これらの上扉板７２は上向きにめくり返されて下扉板７１とルーフ４の間に封止被覆され得る。
【００１４】
該伸縮ユニット８は、４つの第１伸縮部品８１と、４つの第２伸縮部品８２と、４つの第３伸縮部品８３とを含んでおり、これらの第１伸縮部品８１は、これらの直立案内柱２とルーフ４の間にそれぞれ連設され、これらの第１伸縮部品８１が同時に伸びるとき、可將ルーフ４を上向きに突いて上方移動させることでモバイルホーム上下の空間を増加させることができ；これらの第２伸縮部品８２は、ベースフレーム１の中間棒１３と、対応する側部フレーム３の連結棒３２とに２つずつ配置され、２つの側部フレーム３を側方に展開できるようにこれらの側部フレーム３を突き押してベースフレーム１の側面に対して逆向きに移動させることができ；個々の第３伸縮部品８３は、対応する底部支持棒１６上に伸縮可能に立設され、同時に伸びて地面に当接することで、モバイルホームを地面にしっかりと設置できるようにすることができる。
【００１５】
本考案のモバイルホームは展開する過程で、まず、該モバイルホームを地面にしっかりと架設し、すなわち、これらの底部支持棒１６が図４に示すように前横棒１１と後横棒１２に対して外向きに延出すると同時に、これらの第３伸縮部品８３が下向きに伸びて地面に当接すれば、モバイルホームを地面にしっかりと立たせることができ、さらに、これらの第１伸縮部品８１を同時に伸ばしてルーフ４を突いて図４に示すように上方移動させ、続いて、これらの第２伸縮部品８２が伸びることで２つの側部フレーム３が動かされ、図６に示すように相対的に逆向きに展開し、これらの側部フレーム３とベースフレーム１の間にこれらのプーリ１５が組み付けられているため、これらの側部フレーム３がベースフレーム１に対して円滑に展開移動することができる一方、これらの側部フレーム３が展開する過程で、同時にこれらの折り畳み組板５３を動かして図７に示すように漸次展開され、最後に、図８、９に示す敷設状態を示し、これらの引き板６２も同時に図５、８に示す展開状態まで引き動かされ、また、２つの側部フレーム３が外向きに展開すると同時に、該側板６１もこれに従って外へ動くとともに、該枢動側部カバー６３を連動させ、図７と図８に示すように順に枢動して位置決めし、最後に後壁ユニット７の下扉板７１を上向きにめくり返して下扉板７１とルーフ４の間に封止被覆させ、これをもってモバイルホームの展開の動作を完了し、該モバイルホームは、ルーフ４が上向きに上昇し側部フレーム３が側壁ユニット６に連動して外に移動すると同時に、モバイルホームの上下および左右の空間を増加させることによって、モバイルホーム内部の空間全体を増大させることで、モバイルホームの居住快適性を高める効果を達成する。
【符号の説明】
【００１６】
１  ベースフレーム
１１  前横棒
１２  後横棒
１３  中間棒
１４  側部棒
１５  プーリ
１６  底部支持棒
２  直立案内柱
３  側部フレーム
３１  摺動棒
３２  連結棒
４  ルーフ
４１  上カバー部
４２  案内部
５  底板ユニット
５１  固定板
５２  連結板
５３  折り畳み組板
６  側壁ユニット
６１  側板
６２  引き板
６３  枢動側部カバー
７  後壁ユニット
７１  下扉板
７２  上扉板
８  伸縮ユニット
８１  第１伸縮部品
８２  第２伸縮部品
８３  第３伸縮部品
【図１】
0003205741.tif 000003
【図２】
0003205741.tif 000004
【図３】
0003205741.tif 000005
【図４】
0003205741.tif 000006
【図５】
0003205741.tif 000007
【図６】
0003205741.tif 000008
【図７】
0003205741.tif 000009
【図８】
0003205741.tif 000010
【図９】
0003205741.tif 000011